(57)【要約】【課題】掃除が簡単な開口部の目隠し通気構造を提供する。【解決手段】枠体５と、枠体５内に所定間隙をおいて平行に支持された複数本のロッド２からなる第１ロッド群（２…２）と、枠体５内に第１ロッド群（２…２）を構成する各ロッド２と所定隙間を介して平行に支持された複数本のロッド３からなる第２ロッド群（３…３）と、を有し、第１ロッド群のロッド２と第２ロッド群のロッド３とは、各々が中心軸線回りに回転自在に支持されているとともに、使用状態において互いに前記間隙を通る通常の視線を遮るように配置されている。【選択図】　　図５
2004019141.tif 000002
【特許請求の範囲】
【請求項１】
引き戸又は扉の開口部内に、所定間隙をおいて平行に支持された複数本のロッドを有し、該ロッドは、各々が中心軸線回りに回転自在に支持されていることを特徴とする、扉開口部の目隠し通気構造。
【請求項２】
引き戸又は扉の開口部内に、所定間隙をおいて平行に支持された複数本のロッドからなる第１ロッド群と、該第１ロッド群を構成する各ロッドと所定隙間を介して平行に支持された複数本のロッドからなる第２ロッド群とを有し、
前記第１ロッド群のロッドと前記第２ロッド群のロッドとは、各々が中心軸線回りに回転自在に支持されているとともに、使用状態において互いに前記間隙を通る通常の視線を遮ることができるように配置されていることを特徴とする、扉開口部の目隠し通気構造。
【請求項３】
枠体と、該枠体内に所定間隙をおいて平行に支持された複数本のロッドと、を有し、前記ロッドは、各々が中心軸線回りに回転自在に支持されていることを特徴とする、目隠し通気構造体。
【請求項４】
枠体と、該枠体内に所定間隙をおいて平行に支持された複数本のロッドからなる第１ロッド群と、前記枠体内に前記第１ロッド群を構成する各ロッドと所定隙間を介して平行に支持された複数本のロッドからなる第２ロッド群と、を有し、
前記第１ロッド群のロッドと前記第２ロッド群のロッドとは、各々が中心軸線回りに回転自在に支持されているとともに、使用状態において互いに前記間隙を通る通常の視線を遮るように配置されていることを特徴とする、目隠し通気構造体。
【発明の詳細な説明】
【０００１】
【発明の属する技術分野】
本発明は、扉の開口部や引き戸の開口部に設けられて通気性を確保しつつ目隠しを行うための目隠し通気構造、及び目隠し通気構造体に関するものである。
【０００２】
【従来の技術】
従来、この種の技術に類似する技術としてルーバが知られている。ルーバは、一般に、薄くて細長い羽根板を平行または格子状に組み、開口部や照明器具に設けて、視線や風・光の方向を調節するスクリーンである。
【０００３】
【発明が解決しようとする課題】
しかしながら、従来のルーバでは、掃除の際、平行に並ぶ羽根板の間隙毎にハンディモップ等の掃除具を這わせて掃除しなければならず、面倒であった。
【０００４】
そこで、掃除が簡単な開口部の目隠し通気構造を提供することを目的とする。
【０００５】
【課題を解決するための手段】
上記目的を達成するため、引き戸又は扉の開口部内に、所定間隙をおいて平行に支持された複数本のロッドを有し、該ロッドは、各々が中心軸線回りに回転自在に支持されていることを特徴とする。
【０００６】
このように、間隔をおいて平行に支持したロッドを回転自在に支持したので、掃除の際には、例えば上方から下方へ向けてモップ等を複数のロッドを回転させながら、その表面を掃除することにより、複数本のロッドをまとめて効率的に掃除することができる。
【０００７】
また、上記目的を達成するため、本発明に係る開口部の目隠し通気構造は、引き戸又は扉の開口部内に、所定間隙をおいて平行に支持された複数本のロッドからなる第１ロッド群と、該第１ロッド群を構成する各ロッドと所定間隙を介して平行に支持された複数本のロッドからなる第２ロッド群とを有し、前記第１ロッド群のロッドと前記第２ロッド群のロッドとは、各々が回転自在に支持されているとともに、互いに前記間隙からの視線を遮ることができるように配置されていることを特徴とする。
【０００８】
このように第１ロッド群と第２ロッド群とを並列して配置し、第１ロッド群と第２ロッド群とをずらして配置する等することで視線を効果的に遮ることができるとともに、上記と同様にして掃除も簡単にできる。
【０００９】
また、上記目的を達成するため、本発明に係る目隠し通気構造体は、枠体と、該枠体内に所定間隙をおいて平行に支持された複数本のロッドと、を有し、前記ロッドは、各々が中心軸線回りに回転自在に支持されていることを特徴とする。
【００１０】
前記ロッドの平行間隔を狭めれば、或る程度の目隠しになるとともに通気性を確保でき、また、ロッドを回転自在に支持したので、効率よく掃除することができる。
【００１１】
さらに、本発明に係る目隠し通気構造体は、枠体と、該枠体内に所定間隙をおいて平行に支持された複数本のロッドからなる第１ロッド群と、前記枠体内に前記第１ロッド群を構成する各ロッドと所定間隙を介して平行に支持された複数本のロッドからなる第２ロッド群と、を有し、前記第１ロッド群のロッドと前記第２ロッド群のロッドとは、各々が回転自在に支持されているとともに、互いに前記間隙からの視線を遮るように配置されていることを特徴とする。
【００１２】
上記のように、本発明に係る開口部の目隠し通気構造及び通気構造体によれば、平行に支持した回転自在のロッドを前後に交互交替的に配置したので、目隠しの機能を備えつつ、掃除がし易くなる。
【００１３】
【発明の実施の形態】
本発明の好ましい実施形態について以下に図１〜６を参照して説明する。全図を通し、同様の構成部分には同符号を付した。
【００１４】
図１は、洗面台の戸棚の扉に本発明の第１実施形態に係る目隠し通気構造が形成されている例を示している。図２は、図１の一部を拡大して示す縦断側面図であり、図４のＡ−Ａ線に沿う断面図、図３は、図２の部分拡大図、図４は、図１の一部を拡大して示す縦断正面図であり、図２のＢ−Ｂ線に沿う断面図である。なお、本明細書において、「扉」とは、窓，出入り口，戸棚などの開き戸式の戸を意味する。
【００１５】
扉１の開口部に、扉１の面に沿って複数本のロッド２が所定間隙Ｘ１で平行に配置された第１ロッド群と、第１ロッド群の後方に隙間Ｙ１、Ｙ２（図３参照）を介して複数本のロッド３が平行に配置された第２ロッド群とを備えている。第２ロッド群の各ロッド３は、間隙Ｘ２（図３）で配置されている。
【００１６】
第１ロッド群のロッド２と第２ロッド群のロッド３とは、互いに間隙Ｘ１，Ｘ２からの視線を遮ることができるように、交互交替的に配置されている。このように視線を遮るには、ロッド２，３の直径は、間隙Ｘ１，Ｘ２と同等か或いは図示の如くやや大きいものとすることが好ましい。
【００１７】
間隙Ｘ１，Ｘ２は、何れも通気のための間隙であり、ロッドの直径等を考慮して設計されるが、例えば、図示の例では、Ｘ１＝Ｘ２＝１０ｍｍであり、同等である。隙間Ｙ１，Ｙ２は、通気目的で設けられるが、視線を遮る目隠し効果を失わせないようにする必要があり、例えば、図示の例では、Ｙ１＝Ｙ２＝５ｍｍである。
【００１８】
なお、本明細書において「通常の視線を遮る」とは、使用状態において最も多く生じる視線を意味し、間隙Ｘ１又はＸ２を通る全ての視線（視点と物体の各点を結ぶ線）を遮る場合、及び、図３の例のように、斜め方向の一部の視線（図３の仮想線Ｃ参照）が間隙Ｘ１，Ｙ，Ｘ２を通過する場合を含む。即ち、本発明に係る目隠し通気構造を介在させることによって、向こう側が全く見えないか或いは見えにくい状態になっていれば良い。第２ロッド群を構成するロッド３の配置は、例えば、通常の使用状態において平均身長の大人が立ったときの目線高さ近傍にあるロッド３…３は、水平な視線を主として遮るように配置し、目線の高さより低いか或いは高いところでは、隙間Ｙ１，Ｙ２を目線位置の隙間Ｙ１，Ｙ２より少し広げて、上方又は下方へシフトさせることにより、上斜め方向又は下斜め方向の目線を遮るようにしても良い。
【００１９】
第１ロッド群及び第２ロッド群のロッド２，３は、各々が、その中心軸線回りに回転自在に支持されている。図示の実施形態では、図４に示すように、ロッド２，３をアルミパイプで形成し、該アルミパイプの両端に差し込んだ軸部材４を、枠体５に装着したブシュ６に挿入することによって、ロッド２，３を回転自在に支持している。
【００２０】
ロッド２，３は、図示のような円筒パイプが好ましいが、断面形状が四角形、三角形等であっても良い。
【００２１】
上記のような構成を有する扉開口部の目隠し通気構造によれば、ロッド２，３が回転自在に支持されているため、例えば、図１の例では、第１ロッド群（２…２）及び第２ロッド群（３…３）の表面を上方から下方へハンディーモップ等を滑らせるだけで、ロッド２又は３の複数本をまとめて掃除することができる。
【００２２】
上記の例では、扉１に目隠し通気構造が組み込まれた例を説明したが、図５に示すように、目隠し通気構造体８として、一つの部品としても良いし、或いはそれ自体を扉又は引き戸としても良い。
【００２３】
また、第１ロッド群（２…２）及び第２ロッド群（３…３）のうち少なくとも何れか一方を、ロッドの並列方向に沿って平行移動可能に支持するとともに位置調節可能とし、視線や光を調節できるようにしても良い。
【００２４】
図６は、本発明に係る目隠し通気構造体の第２実施形態を示す斜視図である。図６に示す目隠し通気構造体は、第１ロッド群（２…２）のみを有し、第２ロッド群を備えない点が上記の実施形態と相違し、その他の点は同様である。第２実施形態の目隠し通気構造体は、視線を完全には遮らず、平行に並ぶロッド２…２に少し隙間を設けて通気性を確保している。第２実施形態においても、ロッド２…２は、軸線回りに回転自在に支持されているから、上記第１実施形態と同様に、効率の良い掃除が可能となっている。
【図面の簡単な説明】
【図１】洗面台の戸棚の扉に本発明に係る目隠し通気構造が形成されている第１実施形態を示す斜視図である。
【図２】図１の一部を拡大して示す縦断側面図であり、図４のＡ−Ａ線に沿う断面図である。
【図３】図２の一点鎖線で囲んだ領域Ｅを示す部分拡大図である。
【図４】図１の一部を拡大して示す縦断正面図であり、図２のＢ−Ｂ線に沿う断面図である。
【図５】図１の目隠し通気構造に組み込まれている目隠し構造体を示す斜視図である。
【図６】本発明に係る目隠し構造体の第２実施形態を示す斜視図である。
【符号の説明】
１　扉
２　ロッド
３　ロッド
４　軸部材
５　枠体
６　ブシュ
【図１】
2004019141.tif 000003
【図２】
2004019141.tif 000004
【図３】
2004019141.tif 000005
【図４】
2004019141.tif 000006
【図５】
2004019141.tif 000007
【図６】
2004019141.tif 000008